(57)【要約】【課題】手間を掛けることなくフィルタ部材のメンテナンスを行うことができる雨水濾過装置を提供する。【解決手段】マンホール１９内に流入する雨水がフィルタ部材２６に向けて流下するように流入口２２をマンホール１９の周壁１９ａに形成することにより、フィルタ部材２６に付着した塵埃をフィルタ部材２６から剥離させてマンホール１９内から流出させる。【選択図】図３
2007224496.tif 000002
【特許請求の範囲】
【請求項１】
雨水を案内する管路の途中に配置されたハウジングと、該ハウジング内に配置され、前記管路内から前記ハウジング内に流入した雨水から塵埃を分離するためのフィルタ部材とを備え、前記ハウジングには前記フィルタ部材を通過した雨水を貯留するための貯水タンクが接続された雨水濾過装置であって、前記フィルタ部材に付着した塵埃を前記フィルタ部材から剥離させて前記ハウジングから流出させる洗浄手段が設けられていることを特徴とする雨水濾過装置。
【請求項２】
前記ハウジングにはそれぞれが該ハウジングの側方に開放する流入口及び流出口が形成されており、前記ハウジング内には前記流入口を経て流入した雨水を前記流出口に向けて案内する案内板が設けられており、前記フィルタ部材は前記案内板に形成された開口を閉鎖するように設けられていることを特徴とする請求項１に記載の雨水濾過装置。
【請求項３】
前記洗浄手段は、前記流入口を経て前記ハウジング内に流入する雨水が前記フィルタ部材に向けて流下するように前記流入口を前記ハウジングに形成することにより構成されていることを特徴とする請求項２に記載の雨水濾過装置。
【請求項４】
前記洗浄手段は、前記フィルタ部材上に配置され、前記ハウジング内への雨水の流入時に前記フィルタ部材を払拭する払拭部材で構成されていることを特徴とする請求項１又は２に記載の雨水濾過装置。
【請求項５】
前記洗浄手段は、前記ハウジングに形成された流入口の近傍に設けられ、前記フィルタ部材に向けて水を噴射する噴射装置で構成されていることを特徴とする請求項１又は２に記載の雨水濾過装置。 
【発明の詳細な説明】
【技術分野】
【０００１】
本発明は、例えば建物に設けられた縦樋内を流れる雨水を濾過するための雨水濾過装置に関する。
【背景技術】
【０００２】
従来、雨水を再利用するために、建物に設けられた縦樋内を流れる雨水から該雨水に含まれる塵埃を分離すべく雨水を濾過するための雨水濾過装置が知られている（例えば、特許文献１参照。）。
【０００３】
この雨水濾過装置は、一対の縦樋間に配置され且つ両端が各縦樋の端部に接続された筒状のハウジングと、該ハウジング内に配置され、該ハウジング内に流入した雨水のハウジング内での流路を規定する筒状の流路部とを備える。流路部には、該流路部の周壁の一部を構成し、流路部内に流入した雨水から塵埃を分離するための筒状のフィルタ部材が設けられている。
【０００４】
ハウジングの上方に配置された一方の縦樋内からハウジング内に流入した雨水の一部は、流路部内を通過して他方の縦樋内に流入し、該縦樋を経て例えば排水管に案内される。また、前記一方の縦樋からハウジング内に流入した雨水の一部は、流路部に設けられたフィルタ部材を通過することにより塵埃が分離され、ハウジングと流路部との間の空間内に流入し、ハウジングに接続された集水管を経て例えば貯水タンクに案内される。これにより、フィルタ部材によって塵埃が除去された雨水を集水することができる。
【特許文献１】特開２００２−７００８６号（第２−４頁、図１）
【発明の開示】
【発明が解決しようとする課題】
【０００５】
しかしながら、フィルタ部材に塵埃が付着することによりフィルタ部材にいわゆる目詰まりが生じた場合、フィルタ部材上を単に流れる雨水から塵埃に作用する圧力によっては塵埃をフィルタ部材から剥離させることはできず、雨水がフィルタ部材を通過し難くなり雨水の集水効率が低下してしまうため、フィルタ部材に付着した塵埃を除去するためにフィルタ部材を手作業で洗浄する必要がある。このため、フィルタ部材のメンテナンスに手間が掛かる。
【０００６】
そこで、本発明の目的は、手間を掛けることなくフィルタ部材のメンテナンスを行うことができる雨水濾過装置を提供することにある。
【課題を解決するための手段】
【０００７】
上記課題を解決するために、請求項１に記載の発明は、雨水を案内する管路の途中に配置されたハウジングと、該ハウジング内に配置され、前記管路内から前記ハウジング内に流入した雨水から塵埃を分離するためのフィルタ部材とを備え、前記ハウジングには前記フィルタ部材を通過した雨水を貯留するための貯水タンクが接続された雨水濾過装置であって、前記フィルタ部材に付着した塵埃を前記フィルタ部材から剥離させて前記ハウジングから流出させる洗浄手段が設けられていることを特徴とする。
【０００８】
請求項２に記載の発明は、請求項１に記載の発明において、前記ハウジングにはそれぞれが該ハウジングの側方に開放する流入口及び流出口が形成されており、前記ハウジング内には前記流入口を経て流入した雨水を前記流出口に向けて案内する案内板が設けられており、前記フィルタ部材は前記案内板に形成された開口を閉鎖するように設けられていることを特徴とする。
【０００９】
請求項３に記載の発明は、請求項２に記載の発明において、前記洗浄手段は、前記流入口を経て前記ハウジング内に流入する雨水が前記フィルタ部材に向けて流下するように前記流入口を前記ハウジングに形成することにより構成されていることを特徴とする。
【００１０】
請求項４に記載の発明は、請求項１又は２に記載の発明において、前記洗浄手段は、前記フィルタ部材上に配置され、前記ハウジング内への雨水の流入時に前記フィルタ部材を払拭する払拭部材で構成されていることを特徴とする。
【００１１】
請求項５に記載の発明は、請求項１又は２に記載の発明において、前記洗浄手段は、前記ハウジングに形成された流入口の近傍に設けられ、前記フィルタ部材に向けて水を噴射する噴射装置で構成されていることを特徴とする。
【発明の効果】
【００１２】
請求項１に記載の発明によれば、フィルタ部材に付着した塵埃をフィルタ部材から剥離させてハウジングから流出させる洗浄手段が設けられていることから、フィルタ部材に塵埃が付着することによりフィルタ部材にいわゆる目詰まりが生じた場合でも、フィルタ部材を手作業で洗浄することなく洗浄手段の洗浄作用によりフィルタ部材を容易に洗浄することができる。
【００１３】
これにより、フィルタ部材に塵埃が付着することによる雨水のフィルタ部材の通過の妨げが防止され、長期間に亘って高い集水効率を維持することができるので、フィルタ部材に付着した塵埃を除去するために従来における程頻繁にフィルタ部材を手作業で洗浄する必要はない。従って、フィルタ部材のメンテナンスに従来における程の手間を掛けることはない。
【００１４】
請求項２に記載の発明によれば、ハウジングにはそれぞれが該ハウジングの側方に開放する流入口及び流出口が形成されており、ハウジング内には流出口を経て流入した雨水を流出口に向けて案内する案内板が設けられており、フィルタ部材は案内板に形成された開口を閉鎖するように設けられている。
【００１５】
従来、特に雨水がハウジング内をその横方向に沿って流れるように設定された雨水濾過装置では、案内板に設けられたフィルタ部材に付着した塵埃を、案内板上を単に該案内板に沿って流れる雨水により押し流すことは困難であった。このため、フィルタ部材を定期的に手作業で洗浄する必要がある。
【００１６】
これに対し、本発明によれば、雨水がハウジング内をその横方向に沿って流れるように設定された雨水濾過装置に本発明を適用することができるので、フィルタ部材のメンテナンスを従来における程の手間を掛けることなく容易に行うことができる。
【００１７】
請求項３に記載の発明によれば、洗浄手段は、流入口を経てハウジング内に流入する雨水がフィルタ部材に向けて流下するように流入口をハウジングに形成することにより構成されていることから、流入口とフィルタ部材との落差を利用して雨水を流入口からフィルタ部材に流下させることにより、雨水が案内板上を単に流れる場合に比べて雨水からフィルタ部材に付着した塵埃に与える圧力を確実に向上させることができる。これにより、雨水が案内板上を単に流れる場合に比べてフィルタ部材に付着した塵埃をフィルタ部材からより容易に剥離することができる。
【００１８】
また、流入口を経てハウジング内に流入する雨水を利用してフィルタ部材から塵埃を剥離させていることから、フィルタ部材から剥離した塵埃をハウジング内に流入した雨水の水勢によりハウジングから容易に流し出すことができる。
【００１９】
請求項４に記載の発明によれば、洗浄手段は、フィルタ部材上に配置され、ハウジング内への雨水の流入時にフィルタ部材を払拭する払拭部材で構成されていることから、ハウジング内への雨水の流入時に払拭部材によってフィルタ部材を払拭することによりフィルタ部材に付着した塵埃を容易に剥離させることができ、フィルタ部材から剥離した塵埃をハウジング内に流入した雨水の水勢によりハウジングから容易に流し出すことができる。
【００２０】
請求項５に記載の発明によれば、洗浄手段は、ハウジングに形成された流入口の近傍に設けられ、フィルタ部材に向けて水を噴射する噴射装置で構成されていることから、噴射装置によりフィルタ部材に雨水を噴射することによって、フィルタ部材に付着した塵埃に、雨水がフィルタ部材上を単に流れる場合に比べて大きな圧力を与えることができる。これにより、フィルタ部材に付着した塵埃をフィルタ部材から従来に比べて容易に剥離させることができ、フィルタ部材から剥離した塵埃が噴射装置により噴射された雨水から受ける圧力により該塵埃をハウジングから容易に流し出すことができる。
【発明を実施するための最良の形態】
【００２１】
本発明を図示の実施例に沿って説明する。
【実施例】
【００２２】
図１は、建物１１に設けられた雨水濾過装置１０に本発明を適用した例を示す。
【００２３】
建物１１には、その軒先に沿って設けられ、屋根１３から流れ落ちてくる雨水を受ける軒樋１４と、該軒樋からその下方へ伸び、雨水を地上に案内するための縦樋１５とが設けられている。
【００２４】
縦樋１５の下端１５ａは、図示の例では、地中に埋設されている。縦樋１５の下端１５ａには、地中に埋設され且つ一端が下水管１６に接続された排水管１７の他端が接続されている。地中には、後述するように雨水濾過装置１０により濾過された雨水を貯留するための貯水タンク１８が埋設されており、該貯水タンクには、地面に開放する筒状のマンホール１９が設けられている。排水管１７は、マンホール１９を横切るように配置されており、マンホール１９の上流側に配置された管状の上流側部２０と、マンホール１９の下流側に配置された管状の下流側部２１とを有する。上流側部２０の一端は縦樋１５の下端１５ａに接続され、上流側部２０の他端はマンホール１９の周壁１９ａに接続されている。下流側部２１の一端は下水管１６に接続され、下流側部２１の他端はマンホール１９の周壁１９ａに接続されている。
【００２５】
マンホール１９の周壁１９ａには、上流側部２０からマンホール１９内に雨水を流入させるための流入口２２と、マンホール１９内から下流側部２１に雨水を流出させるための流出口２３が形成されている。流入口２２は、流出口２３よりも高い位置でマンホール１９の周壁１９ａに形成されている。
【００２６】
マンホール１９内には、図２に示すように、上流側部２０から流入口２２を経てマンホール１９内に流入した雨水を流出口２３に案内するための案内板２４が設けられている。
【００２７】
案内板２４は、マンホール１９内を塞ぐ大きさを有しており、図３に示すように、雨水が案内板２４上を流出口２３に向けて流れやすいように水平方向に関して所定の角度θで傾斜して配置されている。水平方向に関する案内板２４の角度θは、図示の例では、０°〜３０°に設定されている。
【００２８】
案内板２４には、図２に示すように、その径方向に伸び且つ案内板２４の傾斜方向で互いに対向する縁部に開放する開口２５が形成されている。また、案内板２４には、開口２５を経て案内板２４の下方へ流れ落ちる雨水から該雨水に含まれる塵埃を分離するためのフィルタ部材２６が開口２５を閉鎖するように設けられている。すなわち、マンホール１９は、フィルタ部材２６及び案内板２４を収納するハウジングを構成しており、案内板２４、フィルタ部材２３及びマンホール１９で本発明に係る雨水濾過装置１０が構成されている。
【００２９】
フィルタ部材２６は、図示の例では、従来よく知られたファインエッジワイヤを所定の微小な間隔をおいて全体的に下流側部２１の内径と等しい内径を有する半円筒状をなすように配列することにより形成されている。フィルタ部材２６は、図３に示すように、その内面２６ａが上方へ向き且つ流出口２３を介して下流側部２１の内面２１ａと連続するように配置されている。
【００３０】
本発明に係る雨水濾過装置１０では、フィルタ部材２６に付着した塵埃を該フィルタ部材から剥離させてマンホール１９内から流出させる洗浄手段２７が設けられている。
【００３１】
洗浄手段２７は、図示の例では、流入口２２を経てマンホール１９内に流入する雨水がフィルタ部材２６に向けて流下するように流入口２２をマンホール１９の周壁１９ａに形成することにより構成されている。すなわち、流入口２２は、図３に示すように、マンホール１９の周壁１９ａにマンホール１９内におけるフィルタ部材２６の配置位置よりも高い高さ位置で形成されており、図示の例では、フィルタ部材２６の軸線を含む垂直平面内に中心が位置するように形成されている。これにより、上流側部２０は、その流入口２２に接続された端部における下縁２０ａがフィルタ部材２６の上方に位置し且つ軸線が前記垂直平面内に位置するように配置されている。
【００３２】
屋根１３から流れ落ちて軒樋１４内に集められた雨水は、該軒樋内から縦樋１５内を経て排水管１７の上流側部２０内に流入し、該上流側部内を通ってマンホール１９内に流入する。このとき、前記したように、流入口２２を経てマンホール１９内に流入した雨水はフィルタ部材２６に向けて流下することから、フィルタ部材２６の内面２６ａに付着した塵埃が雨水から受ける圧力によりフィルタ部材２６の内面２６ａから剥離する。フィルタ部材２６から剥離した塵埃は、雨水の水勢により、フィルタ部材２６に流下して案内板２４上を流れる雨水と共に流出口２３を経て排水管１７の下流側部２１内に流入し、該下流側部を通って下水管１６に案内される。
【００３３】
また、フィルタ部材２６に流下した雨水の一部は、該フィルタ部材をその下方へ通過することにより塵埃が分離された後、マンホール１９内を貯水タンク１８に向けて流れ、該貯水タンク内に貯留される。これにより、塵埃が除去された雨水を集水することができる。
【００３４】
貯水タンク１８内に貯留された雨水は、貯水タンク１８内と建物１１内とを連通する取水管３４を介して図示しないポンプにより汲み上げられる。
【００３５】
本実施例によれば、前記したように、フィルタ部材２６に付着した塵埃をフィルタ部材２６から剥離させてマンホール１９内から流出させる洗浄手段２７が設けられていることから、フィルタ部材２６に塵埃が付着することによりフィルタ部材２６にいわゆる目詰まりが生じた場合でも、フィルタ部材２６を手作業で洗浄することなく洗浄手段２７の洗浄作用によりフィルタ部材２６を容易に洗浄することができる。
【００３６】
これにより、フィルタ部材２６に塵埃が付着することによる雨水のフィルタ部材２６の通過の妨げが防止され、長期間に亘って高い集水効率を維持することができるので、フィルタ部材２６に付着した塵埃を除去するために従来における程頻繁にフィルタ部材２６を手作業で洗浄する必要はない。従って、フィルタ部材２６のメンテナンスに従来における程の手間を掛けることはない。
【００３７】
また、前記したように、洗浄手段２７が、流入口２２を経てマンホール１９内に流入する雨水がフィルタ部材２６に向けて流下するように流入口２２をマンホール１９の周壁に形成することにより構成されていることから、雨水を流入口２２からフィルタ部材２６に流下させることにより、雨水が案内板２４上を単に流れる場合に比べて雨水からフィルタ部材２６に付着した塵埃に与える圧力を確実に向上させることができる。
【００３８】
従来、上流側部２０の内面２０ｂがフィルタ部材２６の内面２６ａに流入口２２を経て連続するように流入口２２を形成した場合、雨水が案内板２４を単に該案内板に沿って流れるので、案内板２４に設けられたフィルタ部材２６に付着した塵埃を雨水により押し流すことは困難であった。このため、フィルタ部材２６から塵埃を除去すべく該フィルタ部材を定期的に手作業で洗浄する必要がある。
【００３９】
これに対し、本発明によれば、雨水からフィルタ部材２６に付着した塵埃に与える圧力を確実に向上させることができることから、雨水が案内板２４上を単に流れる場合に比べてフィルタ部材２６に付着した塵埃を該フィルタ部材からより容易に除去することができるので、フィルタ部材２６のメンテナンスを従来における程の手間を掛けることなく容易に行うことができる。
【００４０】
本実施例では、洗浄手段２７が、流入口２２を経てマンホール１９内に流入する雨水がフィルタ部材２６に向けて流下するように流入口２２をマンホール１９の周壁に形成することにより構成されている例を示したが、これに代えて、図４に示すように、洗浄手段２７を、フィルタ部材２６上に配置され、該フィルタ部材を払拭するための払拭部材２８で構成することができる。
【００４１】
払拭部材２８は、図示の例では、シリコンゴムのように耐水性及び弾性を有する材料からなる板状をなしている。払拭部材２８は、図５に示すように、フィルタ部材２６の軸線方向に伸び且つ幅方向で互いに向かい合う縁部のうち一方の縁部２８ａがフィルタ部材２６の内面２６ａに当接するようにフィルタ部材２６内に配置されている。また、払拭部材２８は、図示の例では、その両端２８ｂで、流入口２２及び流出口２３の縁部２２ａ，２３ａに設けられた各支持部材２９にフィルタ部材２６の軸線（図５にＡで示されている。）の周りに揺動可能に支持されている。
【００４２】
図４及び図５に示す例によれば、雨水が上流側部２０内から流入口２２を経てマンホール１９内に流入したとき、払拭部材２８は雨水から受ける圧力によりフィルタ部材２６の軸線の周りに揺動する。このとき、前記したように、払拭部材２８の前記一方の縁部２８ａがフィルタ部材２６の内面２６ａに当接していることから、払拭部材２８の揺動により前記一方の縁部２８ａがフィルタ部材２６の内面２６ａ上を擦動する。これにより、払拭部材の前記一方の縁部２８ａとフィルタ部材２６の内面２６ａとの間に摩擦力が生じる。この摩擦力は、フィルタ部材２６に付着した塵埃には、該塵埃をフィルタ部材２６から剥離させる剥離力として払拭部材２８から作用する。これにより、フィルタ部材２６から塵埃を容易に剥離させることができるので、フィルタ部材２６からの塵埃の除去作業を従来のような手作業で頻繁に行う必要はない。
【００４３】
また、前記したように、マンホール１９内への雨水の流入時に払拭部材２８が作動することから、払拭部材２８によりフィルタ部材２６から剥離した塵埃をマンホール１９内に流入した雨水の水勢によりマンホール１９内から容易に流し出すことができる。
【００４４】
更に、前記したように、払拭部材２８がシリコンゴムのように耐水性及び弾性を有する材料からなることから、払拭部材２８の揺動時にフィルタ部材２６の内面２６ａに傷が付くことを確実に防止することができる。
【００４５】
図４及び図５に示す例では、払拭部材２８が板状をなした例を示したが、これに代えて、例えばスクリュー状をなした払拭部材を本発明に適用することができる。
【００４６】
また、図４及び図５に示す例において、払拭部材２８の前記一方の縁部２８ａにブラシ部を形成したり、前記一方の縁部２８ａにブラシ部材を設けたりすることができる。この場合、ブラシ部又はブラシ部材によってフィルタ部材２６の内面２６ａに付着した塵埃をより確実に除去させることができる。
【００４７】
更に、図４及び図５に示す例では、雨水から払拭部材２８に作用する圧力を利用して払拭部材２８を揺動させた例を示したが、これに代えて、例えば上流側部２０に図示しないセンサーを設け、該センサーから上流側部２０内に雨水が流入したことを示す信号を受けることにより作動するように構成することができる。
【００４８】
また、図４及び図５に示す例では、払拭部材２８が揺動するように支持された例を示したが、これに代えて、フィルタ部材２６の形状に応じて払拭部材２８の移動態様を適宜変更することができる。
【００４９】
更に、図１乃至図４に示す例に代えて、図６に示すように、洗浄手段２７を、フィルタ部材２６の内面２６ａに向けて噴射する噴射装置３０で構成することができる。
【００５０】
噴射装置３０は、図示の例では、マンホール１９の周壁１９ａの内周面１９ｂに設けられた噴射ノズル３１と、排水管１７の上流側部２０内を通る雨水の一部を導管３２を通して噴射ノズル３１に圧送するための図示しないポンプとを備える。
【００５１】
噴射ノズル３１は、流入口２２の上縁部２２ｂに設けられており、フィルタ部材２６の内面２６ａに向けて扇状に噴射するように設定されている。
【００５２】
前記ポンプは、例えば上流側部２０に設けられた図示しないセンサーから上流側部２０内に雨水が流入したことを示す信号を受けることにより作動する。
【００５３】
図６に示す例によれば、軒樋１４及び縦樋１５を経て排水管１７の上流側部２０内に雨水が流入すると、上流側部２０内の雨水の一部は、前記ポンプの作動により導管３２を経て噴射ノズル３１に圧送され、該噴射ノズルからフィルタ部材２６の内面２６ａに噴射される。これにより、雨水がフィルタ部材２６上を単に流れる場合に比べて、フィルタ部材２６に付着した塵埃に大きな圧力を作用させることができる。これにより、噴射装置３０の洗浄作用によりフィルタ部材２６から塵埃を容易に剥離させることができるので、フィルタ部材２６からの塵埃の除去作業を従来のような手作業で頻繁に行う必要はない。
【００５４】
また、前記したように、噴射ノズル３１から噴射した雨水を利用してフィルタ部材から塵埃を剥離させていることから、上流側部２０内からマンホール１９内に流入する雨水の水勢に加えて、噴射装置により噴射された雨水の水勢により、フィルタ部材から剥離した塵埃をマンホール１９内から容易に流し出すことができる。
【００５５】
図６に示す例では、上流側部２０内を通る雨水の一部を噴射ノズル３１に圧送した例を示したが、これに代えて、例えば貯水タンク１８内に貯留された雨水を噴射ノズル３１に図示しないポンプを用いて圧送することができる。この場合、貯水タンク１８内の雨水を循環させることができるので、例えば水道水を噴射ノズル３１に圧送する場合に比べてコストの増大を確実に抑制することができる。
【００５６】
図１乃至図６に示す例では、雨水濾過装置１０が排水管１７に設けられた例を示したが、これに代えて、雨水濾過装置１０を縦樋１５にその地上における部分で設けることができる。この場合、縦樋１５の前記部分にフィルタ部材２６を収納するためのハウジングを設けることができる。
【００５７】
また、図１乃至図６に示す例では、建物１１に設けられた雨水濾過装置１０に本発明を適用した例を示したが、これに代えて、建物１１以外に設けられる雨水濾過装置に本発明を適用することができる。
【図面の簡単な説明】
【００５８】
【図１】本発明に係る雨水濾過装置が建物の縦樋に設けられた状態を概略的に示す説明図である。
【図２】本発明に係る雨水濾過装置を概略的に示す斜視図である。
【図３】図２のI−I線に沿った縦断面図である。
【図４】図２及び図３に示す例とは別の雨水濾過装置を概略的に示す斜視図である。
【図５】図４のII−II線に沿った縦断面図である。
【図６】図２乃至図５に示す例とは別の雨水濾過装置を概略的に示す縦断面図である。
【符号の説明】
【００５９】
１０  雨水濾過装置
１７  管路（排水管）
１８  貯水タンク
１９  ハウジング（マンホール）
２２  流入口
２３  流出口
２４  案内板
２５  開口
２６  フィルタ部材
２７  洗浄手段
２８  払拭部材
３０  噴射装置
【図１】
2007224496.tif 000003
【図２】
2007224496.tif 000004
【図３】
2007224496.tif 000005
【図４】
2007224496.tif 000006
【図５】
2007224496.tif 000007
【図６】
2007224496.tif 000008